(57)【要約】【課題】海苔網を損傷させにくく、確実に処理液に浸しながらスムーズに海苔網を送って液処理作業を円滑に行うことができる海苔網液処理装置を提供する。【解決手段】前進することにより水面に張られた海苔網１００を持ち上げながら船首側から船上を通過させて船尾に送っていく海苔網作業用の船１２の上に上面を開口２８して設置され、海苔網処理液を溜めておく液槽１４と、液槽１４内に非固定状態で配置される基台１６と、基台１６に軸支され、海苔網１００の送り方向Ｘに交差する横軸５０回りに自由回転可能に設けられた押さえドラム１８であり、常時は液槽底壁３０に着底し、海苔網１００を通過させる際には液槽底壁３０との間で海苔網１００を押さえつつ海苔網を挟んで送る１又は複数の押さえドラム１８と、を有する海苔網液処理装置１０から構成される。【選択図】図１
2015077106.tif 000002
【特許請求の範囲】
【請求項１】
前進することにより水面に張られた海苔網を持ち上げながら船首側から船上を通過させて船尾に送っていく海苔網作業用の船の上に上面を開口して設置され、海苔網処理液を溜めておく液槽と、
液槽内に非固定状態で配置される基台と、
基台に軸支され、海苔網の送り方向に交差する横軸回りに自由回転可能に設けられた押さえドラムであり、常時は液槽底壁に着底し、海苔網を通過させる際には液槽底壁との間で海苔網を押さえつつ海苔網を挟んで送る１又は複数の押さえドラムと、を有することを特徴とする海苔網液処理装置。
【請求項２】
押さえドラムは、液槽内において船の前後方向に離隔して２個配置されたことを特徴とする請求項１記載の海苔網液処理装置。
【請求項３】
液槽は、断面視で略逆台形状となるように底壁の前後端部に逆ハ字状に対向する前壁と後壁が形成されると共に、
基台は、液槽と略同じ形状となるように断面視で略逆台形状に組み付けられたフレームを有することを特徴とする請求項１又は２記載の海苔網液処理装置。
【請求項４】
押さえドラムは、基台と液槽との間に、海苔網の送り方向に向けて下り傾斜した前方間隙と、同送り方向と略平行に液槽底壁に沿った中間間隙と、同送り方向に向けて上り傾斜した後方間隙と、を形成するように基台を支持することを特徴とする請求項３記載の海苔網液処理装置。
【請求項５】
液槽から所定量以上の処理液をオーバーフローさせるように液槽に設けられたオーバーフロー部と、
船上で液槽のオーバーフロー部からの処理液を集めるタンクと、
タンク内の処理液を濃度を調整して液槽に戻す液調整機構と、を含むことを特徴とする請求項１ないし４のいずれかに記載の海苔網液処理装置。
【発明の詳細な説明】
【技術分野】
【０００１】
本発明は、海苔養殖で海苔網を処理液で液処理を施す海苔網液処理装置に関する。
【背景技術】
【０００２】
海苔養殖では、雑藻駆除、珪藻付着防止、あかぐされ病やスミノリ病等の病害対策等のために、海上に張られている海苔網を酸性の処理液に浸漬する海苔網液処理が施される。従来、海苔網液処理作業を省力で行えるように、海苔網を海上に張った状態で液処理する技術が提案されている（例えば、特許文献１等）。特許文献１に記載の海苔網活性処理装置は、船上に配置された活性処理液槽と、船上に持ち上げられて船首側から後方に向けて搬送される海苔網を上から押えて活性処理液槽内の活性処理液中に浸漬させる海苔網上方押え部材とを有し、当該海苔網上方押え部材は、活性処理液槽内に独立的に設置されている。そして、活性処理装置を設置した作業船を移動させて海上に設置された海苔網を持ち上げて該作業船を海苔網の下へ入れ、作業船を前進させながら海苔網を船上の活性処理液槽内の活性処理液に連続的に浸漬して液処理していくものであった。
【先行技術文献】
【特許文献】
【０００３】
【特許文献１】特開２００９−１１２２５８号公報
【発明の概要】
【発明が解決しようとする課題】
【０００４】
特許文献１では、海苔網上方押え部材は、金属棒材もしくは金属パイプ材を組み合せて設けられ、海苔網上方押え部材の自重によりパイプ材を海苔網に当着させながら海苔網を上から押さえて処理液に強制的に浸漬させる構成となっている。しかしながら、上方押え部材は海苔網を押えて処理液に浸漬させるためにある程度重く設けられているから、海苔網が上方押さえ部材に押さえられながら処理液槽内の処理液中を通過する際に、海苔網が上方押え部材にすれたり荷重がかかることにより、海苔網や海苔網に取り付けられた伸子棒等が損傷、破損したり、海苔網をスムーズに送ることができないおそれがある問題があった。また、海苔網を海上から直接処理液槽内に取り入れるので、海苔網と一緒に処理槽内に海水が入って処理液が薄まり水素イオン濃度が変化しやすく、処理液の効力が弱くなったり、作業を中断して処理液の濃度調整などの煩雑で手間がかかる作業が必要であった。
【０００５】
本発明は上記従来の課題に鑑みてなされたものであり、その一つの目的は、海苔網を損傷させにくく、確実に処理液に浸しながらスムーズに海苔網を送って液処理作業を円滑に行うことができる海苔網液処理装置を提供することにある。さらに、他の目的は、処理液の濃度を一定に保持し、効果的な海苔網液処理作業を円滑に行うことができる海苔網液処理装置を提供することにある。
【課題を解決するための手段】
【０００６】
上記課題を解決するために本発明は、前進することにより水面に張られた海苔網１００を持ち上げながら船首側から船上を通過させて船尾に送っていく海苔網作業用の船１２の上に上面を開口２８して設置され、海苔網処理液を溜めておく液槽１４と、液槽１４内に非固定状態で配置される基台１６と、基台１６に軸支され、海苔網１００の送り方向Ｘに交差する横軸５０回りに自由回転可能に設けられた押さえドラム１８であり、常時は液槽底壁３０に着底し、海苔網１００を通過させる際には液槽底壁３０との間で海苔網１００を押さえつつ海苔網を挟んで送る１又は複数の押さえドラム１８と、を有する海苔網液処理装置１０から構成される。
【０００７】
また、押さえドラム１８は、液槽１４内において船１２の前後方向に離隔して２個配置されたこととしてもよい。
【０００８】
また、液槽１４は、断面視で略逆台形状となるように底壁３０の前後端部に逆ハ字状に対向する前壁３２と後壁３４が形成されると共に、基台１６は、液槽１４と略同じ形状となるように断面視で略逆台形状に組み付けられたフレーム４０を有することとしてもよい。
【０００９】
また、押さえドラム１８は、基台１６と液槽１４との間に、海苔網１００の送り方向Ｘに向けて下り傾斜した前方間隙５４と、同送り方向Ｘと略平行に液槽底壁３０に沿った中間間隙５６と、同送り方向Ｘに向けて上り傾斜した後方間隙５６と、を形成するように基台１６を支持することとしてもよい。
【００１０】
また、液槽１４から所定量以上の処理液をオーバーフローさせるように液槽１４に設けられたオーバーフロー部６０と、船上で液槽１４のオーバーフロー部６０からの処理液を集めるタンク６２と、タンク６２内の処理液を濃度を調整して液槽１４に戻す液調整機構６４と、を含むこととしてもよい。
【発明の効果】
【００１１】
本発明の海苔網液処理装置によれば、前進することにより水面に張られた海苔網を持ち上げながら船首側から船上を通過させて船尾に送っていく海苔網作業用の船の上に上面を開口して設置され、海苔網処理液を溜めておく液槽と、液槽内に非固定状態で配置される基台と、基台に軸支され、海苔網の送り方向に交差する横軸回りに自由回転可能に設けられた押さえドラムであり、常時は液槽底壁に着底し、海苔網を通過させる際には液槽底壁との間で海苔網を押さえつつ海苔網を挟んで送る１又は複数の押さえドラムと、を有することから、海苔網を液処理する際に海苔網への接触面積が比較的少ないとともにフリーで回転する押さえドラムで海苔網を液槽内に抑えるので、海苔網や伸子棒等を損傷させにくいと同時に、送り方向にスムーズに送りながら処理液に確実に浸漬させつつ効率的に海苔網を液処理することができる。
【００１２】
また、押さえドラムは、液槽内において船の前後方向に離隔して２個配置された構成とすることにより、液槽内で海苔網を均一に押さえ確実に処理液に浸漬させて効果的に液処理することができる装置を簡単な構造で低コストで具現できる。
【００１３】
また、液槽は、断面視で略逆台形状となるように底壁の前後端部に逆ハ字状に対向する前壁と後壁が形成されると共に、基台は、液槽と略同じ形状となるように断面視で略逆台形状に組み付けられたフレームを有する構成とすることにより、液処理する際に、海苔網の液槽内への導入、液槽と押さえドラムとで挟んだ状態での海苔網の送り及び海苔網の液槽からの導出を含む海苔網の送りを海苔網等を損傷させるのを防止しながら、よりスムーズに実現できる。
【００１４】
また、押さえドラムは、基台と液槽との間に、海苔網の送り方向に向けて下り傾斜した前方間隙と、同送り方向と略平行に液槽底壁に沿った中間間隙と、同送り方向に向けて上り傾斜した後方間隙と、を形成するように基台を支持する構成とすることにより、液槽と押さえドラムとの間に海苔網をスムーズに導入して確実に押さえドラムで海苔網を押さえて、海苔網を処理液中に浸漬させつつスムーズに液処理することができる。
【００１５】
また、液槽から所定量以上の処理液をオーバーフローさせるように液槽に設けられたオーバーフロー部と、船上で液槽のオーバーフロー部からの処理液を集めるタンクと、タンク内の処理液を濃度を調整して液槽に戻す液調整機構と、を含む構成とすることにより、液槽内の処理液に海水等が混じっても、液槽内の処理液濃度を常に適切な値に保持できるので、作業を中断して処理液を交換したり濃度調整したりする作業が不要で海苔網全体を効果的かつ効率的に処理することができる。
【図面の簡単な説明】
【００１６】
【図１】本発明の一実施形態に係る海苔網液処理装置を船に設置した状態の斜視図である。
【図２】図１の縦断面説明図である。
【図３】図１の平面図と海苔網の一部を説明した平面図である。
【図４】図１の海苔網液処理装置のみを拡大して示した一部切り欠き斜視図である。
【図５】図４の海苔網処理装置のＡ−Ａ線断面図である。
【図６】図５の海苔網処理装置のＢ−Ｂ線断面図である。
【図７】図４の海苔網処理装置の平面図である。
【図８】図４の海苔網処理装置を分離した状態の説明図である。
【図９】海苔網を液処理する際の作用説明図である。
【図１０】海苔網液処理装置の作用説明図である。
【図１１】海苔網液処理装置の作用説明図である。
【図１２】図４の海苔網液処理装置の他の実施形態の概略説明図である。
【発明を実施するための形態】
【００１７】
以下添付図面を参照しつつ本発明の海苔網液処理装置の実施形態について説明する。本発明に係る海苔網液処理装置は、船に設置して水上に張られた海苔網を効率良く処理液に浸漬して処理することができる処理装置である。図１ないし図１１は、本発明の海苔網液処理装置の一実施形態を示している。図１、図２、図３に示すように、本実施形態において、海苔網液処理装置１０は、船１２の上に設置される液槽１４と、基台１６と、押さえドラム１８と、を備えている。
【００１８】
図２に示すように、本実施形態では、海苔網１００は、例えば、帯状に一方に長く形成されており、長手方向の両端から所定の間隔を空けて平行に張られた２本の枠綱１０２に海苔網１００の長手方向の両端隅部を手綱１０４を介して接続されている。海苔網１００の長手方向の所定間隔ごとには海苔網１００を展張状態を保持するためのパイプ等からなる複数の伸子棒１０６が取り付けられている。伸子棒の両端に対応して張り網１０８が接続され、海苔網の展張状態を保持している。複数の海苔網１００が養殖場に並設されている。なお、海苔網１００は支柱等に支持したものであってもよい。
【００１９】
図１、図２、図３に示すように、船１２は、海苔網液処理装置１０を設置して海苔網の液処理作業を行う海苔網作業用の船である。本実施形態では、船１２は、例えば、後部側に操縦部２０が設けられ、後端に推進装置２２が取り付けられている。船１２は、図９に示すように、前進Ｆすることにより船首１２ａ側から水上に張られた海苔網１００の長手方向の一端部側から掬うように持ち上げつつ船上を通過させて船尾１２ｂ側に送り、船尾１２ｂ側から再び水上に戻していく。船首１２ａ側から船尾１２ｂ側に向けて海苔網１００の送り方向Ｘが設定される。船１２の船首側には、水上の海苔網１００を持ち上げるように前進方向に前下がり傾斜した前方ガイド部２４が設けられている。前方ガイド部２４は、例えば、複数の金属製パイプ材を組み付けて形成され、先端部を水中に向けて延設するとともに基端部側を船上側でヒンジ２４ａを介して船首に取り付けられており、不要時には船上に回転して収納することができる。船１２の後部側には、操縦部２０及び推進装置２２を覆うように、複数の金属製パイプ等を組み付けて構成された後部ガイド部２６が設けられており、船上の後部側の構成物を避けて海苔網１００を後部側から水上へスムーズに案内するようになっている。なお、本実施形態では、船の船首側を前方、船尾側を後方、前後方向に直交する横方向を左右方向として説明する。
【００２０】
図１、図２に示すように、船上の操縦部２０の前方側に海苔網液処理装置１０が設置されている。液槽１４は、上面を開口２８して設けられ、海苔網１００を処理する処理液を溜めておく槽体であり、例えば、船１２の甲板部等の船上に設置される。図４、図５、図６に示すように、液槽１４は、例えば、平面視四角形状の底壁３０と、底壁３０の四辺から立設された前壁３２、後壁３４、右側壁３６、左側壁３８と、を含み、内部に上面の開口２８に連通する内部空間を形成している。
【００２１】
本実施形態では、液槽１４は、底壁３０の面積より上面側の開口２８が大きくなるように前壁３２、後壁３４、右側壁３６、左側壁３８の各壁が所定の角度で斜めに傾斜されて逆台形箱状に形成されている。すなわち、図５に示すように、液槽１４は、例えば、縦断面視で略逆台形状となるように、逆ハ字状に前壁３２と後壁３４とを対向して底壁３０の前後端部に形成されている。前壁３２の底壁３０に対する傾斜角度は後壁３４の底壁３０に対する傾斜角度よりも大きな角度で設けられている。なお、後壁３４は、例えば、底壁に対して９０度に設けられていても良い。図６に示すように、右側壁３６と左側壁３８も底壁３０の左右側辺側に逆ハ字状に対向して形成されている。液槽１４の底壁３０には、水抜き孔３１が設けられ、常時は栓により閉鎖されている。
【００２２】
図２に示すように、液槽１４は、例えば、支持台３９で船の甲板上所定の高さ位置に固定されており、上端縁が船１２の前方ガイド部２４の基端の高さ位置より低い位置に設定されている。液槽１４の船１２への設置手段は、例えば、船の甲板に直接置いたり、船１２の舷側に取り付けたり、液槽の底壁に支持脚を設けて船に固定する等、その他任意の方法でもよい。液槽１４に貯留する処理液Ｌａは、従来周知の海苔網用処理液と同じものであり、例えば、有機酸等の酸性処理剤（活性剤）等を海水で希釈して水素イオン濃度が約ｐＨ２程度にした処理液が利用される。
【００２３】
図４、図５、図６に示すように、基台１６は、液槽１４内に非固定状態で配置され、後述の押さえドラム１８とともに海苔網１００を液槽１４内の処理液に確実に浸漬させるように該海苔網の浮き上がりを抑制する押さえ手段（又は抑え手段）を構成する。基台１６と押さえ装置１８とは、液槽内に非固定状態で配置される押さえ装置（又は抑え装置）４１を構成するといえる。本実施形態では、基台１６は、押さえドラム１８を軸支する基体であるとともに、その重さにより海苔網１００を押さえて液槽内から外に浮き上がるのを抑える力を生じさせる重量体となる。本実施形態では、基台１６は、液槽内に非拘束状態で配置されている。尚、基台１６は、液槽内に少なくとも上下移動可能に配置されているとよく、例えば、前後方向には移動できないような構成でもよいが、本実施形態のように非拘束状態で配置される構成であると海苔網の送りや製造しやすさ等で好適である。
【００２４】
本実施形態では、基台１６は、例えば、複数の金属製パイプを組み付けて枠状に形成されたフレーム４０を含む。フレーム４０は、縦断面視で外形輪郭が略逆台形状に設けられており、上記の液槽１４の断面視での形状と略同じ形状となるとともに、液槽１４内に対して前後及び左右を含む周囲に遊びをもって配置されるように液槽よりもやや小さい大きさとなっている。図７、図８にも示すように、フレーム４０は、例えば、液槽１４の底壁側に近接して配置される底枠部４２と、前方に設けられた前枠部４４と、後方に設けられた後枠部４６と、側方に設けられた側枠部４８と、を含む。フレーム４０は、浴槽１４とは非連結で該浴槽１４に対して前後方向及び上下方向に移動可能なフリーな状態で該浴槽１４内に配置されている。フレーム４０と液槽１４の左右側壁３６、３８との間には側方間隙５９が形成される。
【００２５】
底枠部４２は、前後方向に伸びた直状パイプを左右方向に所定間隔で平行に複数本並べてそれらを横に架設した複数の横パイプで連結して設けられ、外形輪郭が液槽１４の底壁３０よりも若干小さい矩形枠形状に設けられている。底枠部４２の前後寄り位置にそれぞれ押さえドラム１８が配置されるが、各押さえドラム１８の前後両側に横パイプが隣接するように配置されている。底枠部４２の左右方向の中間位置に配置される直状パイプは左右外側のものよりも短く形成されている。
【００２６】
前枠部４４は、底枠部４２の前端から前方に向けて上り傾斜した直状パイプを左右方向に所定間隔で平行に複数本並べて、それらを横に架設した横パイプで連結して設けられている。前枠部４４は、液槽１４の前壁３２の傾斜に略沿うように底枠部４２に対して鈍角の傾斜で形成されている。さらに、前枠部４４は、液槽１４の上端よりも十分に高く設けられ液槽１４の外へ延出するように長く設けられている。これにより、船１２の前進に伴って船首側から前方ガイド部２４を介して船上に送られてくる海苔網１００を該海苔網の端部側から液槽１４内へ誘導する誘導部を形成している。
【００２７】
後枠部４６は、例えば、円弧状に設けられたパイプを左右方向に所定間隔で平行に複数本並べてそれらを横に架設した横パイプで連結して設けられ、液槽１４の後壁３４に近接して配置されている。後枠部４６は、液槽１４の上端と略同じ高さで形成されている。側枠部４８は、例えば、底枠部４２の左右外側のパイプの上方に平行に配置された直状パイプを長手方向中間位置で底枠部４２から立設させた短パイプで支持させるとともに、両端部を前枠部４４と後枠部４６に固定されて設けられている。
【００２８】
図４、図５、図６に示すように、押さえドラム１８は、基台１６に軸支され、海苔網１００の送り方向Ｘに交差する横軸５０回りに自由回転可能に設けられている。押さえドラム１８は、海苔網１００が船上を通過しない常時は液槽底壁３０に着底して基台１６を所定高さ位置で支持し、海苔網１００を通過させる際には海苔網１００を上から押さえつつ液槽１４の底壁３０との間で海苔網１００を挟んで送る海苔網１００の押さえ手段兼送り補助手段である。押さえドラム１８が海苔網１００に当着し、基台１６と合わせた重みで海苔網１００を押さえて該海苔網１００が液槽１４の処理液Ｌａ外に出るのを抑制して、海苔網１００の処理液Ｌａへの浸漬を確実に行わせる。その際、海苔網に当着する押さえドラム１８は海苔網との接触面積が比較的少なくかつ自由回転するので、海苔網を少ない抵抗で円滑に送り方向に送ることができる。これにより、海苔網１００や海苔網に取り付けられた伸子棒１０６等を損傷させるのを防止できる。
【００２９】
本実施形態では、押さえドラム１８は、例えば、合成樹脂等の中空円筒体で両端を閉鎖して形成されたローラ部材からなり、液槽１４内において船１２の前後方向に離隔して２個配置されている。図５に示すように、押さえドラム１８は、側面視で逆台形状のフレーム４０の下側の隅部近傍位置に配置され、液槽内で前端部側と後端部側とに離隔配置されている。押さえドラム１８の横軸５０は、例えば、中空円筒管内を貫通し左右両端部を底枠部４２に固定された軸支部材５２上に自由回転自在に支持されている。
【００３０】
押さえドラム１８は、その円筒周面がフレーム４０の底枠部４２より下方に突出しており、フレーム４０を液槽１４の底壁３０に着底させないように該フレーム４０を支持している。押さえドラム１８は、フレーム４０と液槽の底壁３０との間で海苔網を挟み付けないようにフレームと液槽との間隙を保持してフレーム４０を支持している。これにより、押さえドラム１８は、基台１６であるフレーム４０と液槽１４との間に、海苔網の送り方向Ｘに向けて下り傾斜した前方間隙５４と、同送り方向と略平行に液槽の底壁３０に沿った中間間隙５６と、同送り方向に向けて上り傾斜した後方間隙５８と、を形成するようにフレーム４０を支持している。すなわち、液槽内において、液槽の前壁３２とフレーム４０の前枠部４４との間に前方間隙５４が下り傾斜して形成され、液槽の底壁３０とフレーム４０の底枠部４２との間に中間間隙５６が形成され、液槽の後壁３４とフレーム４０の後枠部４６との間に後方間隙５６が上り傾斜して形成されるように押さえドラム１８がフレーム４０を支持し、それらの間隙を海苔網の通過間隙として保持している。なお、押さえドラム１８は、１個でもよいし、３個以上の複数個設けても良い。
【００３１】
次に本実施形態に係る海苔網液処理装置１０の作用について説明する。予め液槽１４を船１２上に設置するとともに押さえドラム１８を軸支した基台１６を液槽１４内に配置し、処理液Ｌａを液槽内に溜めておく。船１２を移動させて、図２、図９に示すように、水上に張られた状態の海苔網１００の一端側から船１２を前進Ｆさせていくことにより、海苔網１００を持ち上げて海苔網の下を潜るように船上を通過させる。船１２の前進Ｆに伴って、海苔網１００は船１２に対して相対的に船首側から船尾側に送られていく。船首１２ａ側の前方ガイド部２４により持ち上げられた海苔網１００の先端部は、図１０（ａ）に示すように、基台１６のフレーム４０の前枠部４４により、該前枠部４４と液槽１４の前壁３２との間に導入される。さらに船１２が前進Ｆすることにより、図１０（ｂ）に示すように、非固定状態の基台１６及び押さえドラム１８が上昇し、海苔網１００を押さえドラム１８と液槽の底壁３０との間に挟みつつ処理液Ｌａ中に浸漬させながら船尾方向へ送る。この際、基台１６と押さえドラム１８との重量で海苔網１００を上から押さえるとともに、海苔網上面に当接する押さえドラム１８が自由回転する。これにより、海苔網１００を液槽内の処理液Ｌａに確実に浸漬することができる上、海苔網１００や伸子棒１０６を損傷させることなく、スムーズに送ることができる。なお、基台１６は、液槽１４とは非固定状態で配置されているので、図１１に示すように、フレーム４０と液槽１４の左右側壁３４、３６との側方間隙５９を海苔網１００を引っ張っている手綱１０２や張り綱１０８が移動する。さらに船１２が前進Ｆして、海苔網の終端側まで進むと、図１０（ｃ）に示すように、海苔網１００が基台１６と液槽の後壁３４の間から離脱して、基台１６及び押さえドラム１８が下降し、押さえドラム１８は液槽の底壁３０に着底する。同様に海苔養殖場の他の海苔網に対しても液処理していく。
【００３２】
図１２は、本実施形態に係る海苔網液処理装置の他の実施形態を示している。上記実施形態と同一部材には同一符号を付し、その詳細な説明は省略する。図１２の実施形態では、上記実施形態と略同じ構成を備えているが、液槽１４内の処理液の濃度を調整して処理液を循環させる処理液循環手段を備えている。この実施形態では、例えば、液槽１４から所定量以上の処理液をオーバーフローさせるように液槽１４に設けられたオーバーフロー部６０と、船１２上で液槽１４のオーバーフロー部６０からの処理液を集めるタンク６２と、タンク６２内の処理液Ｌａを濃度を調整して液槽１４に戻す液調整機構６４と、を含む。
【００３３】
オーバーフロー部６０は、例えば、液槽１４の後壁３２に設けられた１個又は複数個の孔を含む。なお、オーバーフロー部６０は、液槽１４の後壁３４の全体或いは一部の高さを他の壁より低く設けることで構成してもよい。タンク６２は、船上の液槽１４の後方であって、液槽１４のオーバーフロー部６０より低い位置に上面を開口して設置される。なお、オーバーフロー部６０とタンク６２とをパイプや樋等で接続してもよい。液調整機構６４は、例えば、タンク６２内の処理液Ｌａをポンプで強制的に循環させて再び液槽１４の前方側に設置したノズル６６から供給するように設けられるとともに、循環経路中で処理液中に酸性処理剤を添加して所定の水素イオン濃度（例えば、約ｐＨ２程度）に調整する調整装置や制御盤等を含む。
【００３４】
例えば、予めタンク６２内にある程度の処理液を貯留しておき、ポンプよりホース６５を介してノズル６６から液槽１４内に処理液を供給すると液槽１４内の水量が増加する。また、海苔網１００を液処理する際に海苔網とともに海水が処理液に混じって水量が増加する。液槽１４内の処理液量がある程度増加すると、処理液はオーバーフロー部６０からオーバーフローしてタンク６２へ集められる。タンク６２内の処理液Ｌａは、海水が混じって希釈されている場合には液調整機構６４により濃度を調整されて、ポンプによって循環されホース６５を介してノズル６６から再び液槽１４内に供給される。これにより、上記実施形態同様に、海苔網を損傷させることなくスムーズに液処理することができる上、本実施形態では、海水で希釈した処理液の交換調整等で液処理作業を中断することなく、処理液の濃度を一定に保持して海苔網を効果的に液処理することができる。
【００３５】
以上説明した本発明の海苔網液処理装置は、上記した実施形態のみの構成に限定されるものではなく、特許請求の範囲に記載した本発明の本質を逸脱しない範囲において、任意の改変を行ってもよい。
【産業上の利用可能性】
【００３６】
本発明の海苔網液処理装置は、海苔養殖において病気予防等のために海苔網を張った状態で液処理するのに好適に利用できる。
【符号の説明】
【００３７】
１０    海苔網液処理装置
１２    船
１４    液槽
１６    基台
１８    押さえドラム
２８    開口
３０    底壁
３２    前壁
３４    後壁
４０    フレーム
５０    横軸
５４    前方間隙
５６    中間間隙
５８    後方間隙
６０    オーバーフロー部
６２    タンク
６４    液調整機構
１００  海苔網
【図１】
2015077106.tif 000003
【図２】
2015077106.tif 000004
【図３】
2015077106.tif 000005
【図４】
2015077106.tif 000006
【図５】
2015077106.tif 000007
【図６】
2015077106.tif 000008
【図７】
2015077106.tif 000009
【図８】
2015077106.tif 000010
【図９】
2015077106.tif 000011
【図１０】
2015077106.tif 000012
【図１１】
2015077106.tif 000013
【図１２】
2015077106.tif 000014